(57)【特許請求の範囲】
【請求項１】
間隔を置いて並列する２本のケーブル線心と、これらのケーブル線心直上にパイプ押出方式によりテープ状に押出被覆された共通の外被とを備えてなる２心ケーブルにおいて、
前記外被の内側が、軸方向に形成された複数条の突起を介して前記各ケーブル線心に接していることを特徴とする２心ケーブル。
【請求項２】
請求項１記載の２心ケーブルにおいて、前記ケーブル線心は、光ファイバの外周に被覆を施してなるものであることを特徴とする２心ケーブル。
【請求項３】
請求項１記載の２心ケーブルにおいて、前記ケーブル線心は、光ファイバ心線の外周に高抗張力繊維層を介して保護被覆を設けてなるものであることを特徴とする２心ケーブル。
【発明の詳細な説明】
【０００１】
【発明の属する技術分野】
本発明は、並列する２条のケーブル線心の外周に共通の外被を非接着的に施した２心ケーブルに関する。
【０００２】
【従来の技術】
従来より、光通信機器相互を接続する室内配線用光ファイバケーブルとして、図３に示すような、光ファイバ心線１の外周に高抗張力繊維層２を介して塩化ビニル樹脂からなる保護被覆（内部シース）３を設けたケーブル線心４を２条並列させ、その外側にさらに補強のために塩化ビニル樹脂からなる外被（外部シース）５を非接着的に施した２心構造の光ファイバケーブルが知られている。このような光ファイバケーブルにおいては、通常、ケーブル線心４の間に、鋼線等からなるテンションメンバ６が外被５に埋設されて配置されており、また、全体がテープ状に成形されている。
【０００３】
ところで、上記のような２心平型ケーブルにおいては、外被５の形成には、押出機の樹脂圧力でケーブル線心４がつぶれることがないように、いわゆるパイプ押出し方式が用いられている。
【０００４】
すなわち、図４（ａ）および（ｂ）に示すように、先端にケーブル線心挿通用のパイプ７を２本突設したニップル８を、ダイス９の先端にまで挿入することにより、樹脂１０がケーブル線心４の周りにパイプ状に押出されるようにした押出機により、外被５を形成している。なお、図４（ａ）は、押出機のニップルおよびダイス部分の構造を示す縦断面図、（ｂ）は、ニップルを正面より示した図である。
【０００５】
そして、その後の引落しで、ケーブル線心４と外被５との間隙が最適な状態、すなわち、外被５がケーブル線心４を押圧せずかつ密着した状態に保たれるようにしている。これは、ケーブル線心４と外被５との間に間隙が生ずると、短尺に切断したときに外被５からケーブル線心４が抜け出てしまうおそれがあり、逆に、ケーブル線心４と外被５が密着しすぎるとケーブル線心４が外被５に押されて外力を受けた場合などに側圧による損失増加を招きやすくなるからである。
【０００６】
しかしながら、このように引落しの度合いを調節してケーブル線心４と外被５の間隙を最適に保つことは、外被５の断面が円形でないため引落しの度合いが一様にならないことや、ケーブル線心とパイプの外径差が大きいため大きな引落しを必要とするなどの理由から、非常に困難であった。このため、ケーブル線心４が外被５により押されたり、あるいは、外被５からケーブル線心４が抜け出てしまうことのない特性の良い２心平型ケーブルを安定して得ることが困難であった。
【０００７】
【発明が解決しようとする課題】
このように、従来の２心平型ケーブルおよび製造技術では、引落しの度合いを調節してケーブル線心と外被の間隙を最適に保つことが難しく、ケーブル線心が外被により押されたり、あるいは、外被からケーブル線心が抜け出てしまうことのない、特性の良い２心平型ケーブルを安定して得ることができない、という問題があった。
【０００８】
本発明はこのような課題を解決するためになされたもので、ケーブル線心と外被との間隙の調節が容易で、ケーブル線心が外被により押されたり、あるいは、外被からケーブル線心が抜け出てしまうことのない、特性の良い２心平型ケーブルも安定して得ることができる２心ケーブルを提供することを目的とする。
【０００９】
【課題を解決するための手段】
本発明の２心ケーブルは、間隔を置いて並列する２本のケーブル線心と、これらのケーブル線心直上にパイプ押出方式によりテープ状に押出被覆された共通の外被とを備えてなる２心ケーブルにおいて、前記外被の内側が、軸方向に形成された複数条の突起を介して前記各ケーブル線心に接していることを特徴としている。
【００１１】
上記構成の２心ケーブルにおいては、共通外被の押出し直後のケーブル線心に対する内径を実質的に突起の高さだけ小さくすることができるため、小さな引落しで外被とケーブル線心とを接触させることが可能になる。したがって、引落しによるケーブル線心と外被との間隙の調節が容易になり、ケーブル線心が外被により押されたり、あるいは、外被からケーブル線心が抜け出てしまうことのない、特性の良い２心ケーブルを安定して得ることができる。
【００１２】
共通の外被が、テープ状（断面平型）に形成されている場合、引落しは均一に行われず、外被のケーブル線心に対する内面は変形して押出されるため、引落としの度合いの調節は共通の外被が断面円形状に形成されている場合に比べさらに難しいが、被覆内面には突起が設けられているため、引落とし量は少なくてすみ、ケーブル線心にかかる変形力は低減される。したがって、ケーブル線心が外被により押されたり、あるいは逆に、外被からケーブル線心が抜け出てしまうことのない、特性の良い２心平型ケーブルを容易にかつ安定して得ることが可能になる。
【００１３】
【発明の実施の形態】
以下、本発明の実施の形態を図面を用いて説明する。
図１は本発明の一実施形態の２心平型光ファイバケーブルを示す断面図である。
【００１４】
図１において、この２心平型光ファイバケーブルは、光ファイバ心線１１の外周に高抗張力繊維層１２を介して塩化ビニル樹脂等からなる保護被覆１３を設けたケーブル線心１４を２本間隔をあけて並列させ、それらの間に鋼線等からなるテンションメンバ１５を、その中心が各ケーブル線心１４の中心と同一平面上に位置するように離間配置するとともに、これらの外周に塩化ビニル樹脂等からなるテープ状の共通の外被１６を施した構造を有する。
【００１５】
共通の外被１６は、図２（ａ）および（ｂ）に示すようなニップルを備えたパイプ型押出機を用いて形成されている。すなわち、このパイプ型押出機のニップル１７の先端には、２本のケーブル線心挿通用パイプ１８が設けられており、その先端がダイス１９の先端にまで挿入されている。そして、それらの各ケーブル線心挿通用パイプ１８の外周面には４条の軸方向に伸びるＶ溝２０が周方向にほぼ等しい間隔をおいて設けられている。なお、図２（ａ）は、押出機のニップルおよびダイス部分の構造を示す縦断面図、（ｂ）は、ニップルを正面より示した図で、これらの図中、２１は、２本のケーブル線心挿通用パイプ１８の間に開口するテンションメンバ挿通孔を、また、２２は、押出材料を示している。
【００１６】
このようなパイプ型押出機においては、共通の外被１６は、２本のケーブル線心１４上に、各ケーブル線心１４に対する内面にＶ溝２０に対応する 4条の突起２３ａ、２３ｂ、２３ｃ、２３ｄを有する形状に押出され、引落とされて形成されるが、本発明においては、その際、各突起２３ａ、２３ｂ、２３ｃ、２３ｄの先端がそれぞれケーブル線心１４に接するように引落とす。これにより、図１に示すような、各ケーブル線心１４に対し３条の突起２３ａ、２３ｂ、２３ｃが接し、残りの１条の突起２３ｄはテンションメンバ１５側へ引かれて隣接する突起２３ａ、２３ｃとの間の内面の一部がケーブル線心に接する形状に形成される。なお、テンションメンバ１５側の内面の一部がケーブル線心に接するのは、外被断面が異形（テープ状）であるため、他の部分より大きな引落とし力が作用するからである。
【００１７】
このような２心ケーブルにおいては、共通の外被１６のケーブル線心１４に対する押出し内径が、Ｖ溝２０の深さ分だけ実質的に従来のものより小さくなるため、小さな引落としで外被１６とケーブル線心１４とを接触させることができるとともに、引落としの不均一による変形によって外被１６がケーブル線心を押圧する力も小さくすることができる。したがって、引落しの度合いの調節が容易になり、ケーブル線心が外被により押されたり、あるいは逆に、外被からケーブル線心が抜け出てしまうことのない、特性の良い２心ケーブルを容易にかつ安定して得ることが可能になる。
【００１８】
なお、上記の例は本発明を２心平型光ファイバケーブルに適用した例であるが、本発明はこのような例に限定されるものではなく、他の各種の２心ケーブルに広く適用可能であることはいうまでもない。また、パイプ外周面に設ける溝の形状や数、位置なども、特に上記の例に限定されるものではなく、上述した作用効果が得られる範囲で適宜定められてよい。
【００１９】
【実施例】
次に、本発明の実施例を具体的に記載する。
【００２０】
実施例
ケーブル線心として、外径 0.9mmの光ファイバ心線の外周にアラミド繊維を沿わせつつ、その外周に塩化ビニル樹脂を押出被覆して得た外径 2.0mmの被覆光ファイバ心線を、また、テンションメンバとして外径 0.7mmの鋼線を用い、図２に示したパイプ型押出機（ニップル外周面のＶ溝の深さ0.2mm 、幅0.2mm ）により、共通外被を施し、光ファイバケーブルを製造した。なお、外被材料には、被覆光ファイバ心線の保護被覆に施したものと同様の塩化ビニル樹脂を用い、外形が最大幅約 7.0mm、最大厚さ約 4.0mmのテープ状になるように、また、ニップル外周面のＶ溝でできた内側の突起が被覆光ファイバ心線に接するように引落とした。なお、2 本の被覆光ファイバ心線の中心間距離は約 3.6mmで、鋼線と被覆光ファイバ心線との中心間距離は約 1.8mmである。
【００２１】
得られた光ファイバケーブルは、側圧による損失増加を招くこともなく、良好かつ安定した伝送特性を有していた。また、短尺に切断しても共通外被から被覆光ファイバ心線が抜け出ることもなかった。
【００２２】
【発明の効果】
以上説明したように、本発明によれば、共通の外被が各ケーブル線心に対し内側に複数条の突起を有する形状に押出されるようにしたので、小さな引落としで共通の外被とケーブル線心を適正に接触させることが可能になるうえ、引落しの不均一による外被の変形力のケーブル線心への作用も低減することができる。したがって、ケーブル線心が外被により押されたり、あるいは逆に、外被からケーブル線心が抜け出てしまうことのない、特性のよい２心ケーブルを容易にかつ安定して得ることが可能になる。
【図面の簡単な説明】
【図１】本発明の一実施形態の２心平型光ファイバケーブルを示す断面図。
【図２】本発明に用いられるパイプ型押出機の要部構成を示す図で、（ａ）ニップルおよびダイス部分の構造を示す縦断面図、（ｂ）をニップルを正面より示した図。
【図３】従来の２心平型光ファイバケーブルの一例を示す断面図。
【図４】従来の２心平型光ファイバケーブルの製造に用いられるパイプ型押出機の要部構成を示す図で、（ａ）ニップルおよびダイス部分の構造を示す縦断面図、（ｂ）をニップルを正面より示した図。
【符号の説明】
１１………光ファイバ心線
１２………高抗張力繊維層
１３………保護被覆
１４………ケーブル線心
１６………共通の外被
１７………ニップル
１８………ケーブル線心挿通用パイプ
１９………ダイス
２０………Ｖ溝
２３………突起
【図１】
0004087014.tif 000002
【図２】
0004087014.tif 000003
【図３】
0004087014.tif 000004
【図４】
0004087014.tif 000005